(57)【要約】【課題】就寝者がベッド上を移動しても就寝者の頭部に目覚まし用の照明が正しく照射され就寝者に快適な目覚めをもたらす。【解決手段】ベッド２の上面に４枚のシート状圧電センサ４を備え、各シート状圧電センサ４は、その上にかかる重量に応じた電圧信号を制御装置６へ送信する。ヘッドボード３には、ベッド２の幅方向に４つのブロックに区分された発光ダイオードから構成される発光パネル５を備え、発光ダイオードは照度が漸増するようにブロックごとに制御される。制御装置６内のマイクロプロセッサ１２は、各シート状圧電センサ４から送信される電圧信号の大きさに基づいて就寝者Ｐの頭部Ｐａの位置を判断し、判断した頭部Ｐａの位置情報を調光制御装置９へ送信する。調光制御装置９は、制御装置６から受信した頭部位置情報に応じて発光ダイオードのブロックを切替え、起床時刻において頭部Ｐａのある位置に対応する位置の発光ダイオードを調光制御する。【選択図】図１
2008107258.tif 000002
【特許請求の範囲】
【請求項１】
目覚まし用の照明をベッド上の就寝者に対して照射する目覚まし照明装置に用いられ、就寝者のベッド上における頭部の位置を検出する頭位置検出装置であって、
就寝者の頭部の重量、温度等の物理量を検出するセンサと、
前記センサが検出した物理量に基づいて就寝者の頭部の位置を判断する頭位置判断手段と、を備えたことを特徴とする頭位置検出装置。
【請求項２】
請求項１に記載の頭位置検出装置と、
前記頭位置検出装置によって検出された就寝者の頭部の位置に応じて目覚まし用の照明の照射方向を変更する照射方向変更手段と、
を備えたことを特徴とする目覚まし照明装置。
【請求項３】
前記ベッドのヘッドボードに複数の光源を内蔵し、
前記照明方向変更手段は、前記複数の光源の点灯・非点灯を切替えることにより照射方向を変更することを特徴とする請求項２に記載の目覚まし照明装置。
【発明の詳細な説明】
【技術分野】
【０００１】
本発明は、ベッド上に就寝した人の頭位置検出装置、及びそれを用いた目覚まし照明装置に関する。
【背景技術】
【０００２】
従来から、就寝者に快適な目覚めをもたらすために設定された起床希望時刻に近づくと就寝者に目覚まし用の照明を照射する目覚まし照明装置が知られている。
【０００３】
例えば、就寝者の枕元に低照度の光源と中照度の光源と高照度の光源の３種類の光源が配置され、予め設定された起床希望時刻に近づくと低照度、中照度、高照度の順に光源が発光され、低照度から中照度へは緩やかに照度が増加し、中照度から高照度へは急激に照度が増加するように制御して夜明け前から夜明け後の自然の日差しが再現され、就寝者に快適な目覚めをもたらす目覚まし装置が知られている（例えば、特許文献１参照）。
【特許文献１】特開平７−３１８６７０号公報
【発明の開示】
【発明が解決しようとする課題】
【０００４】
ところが、上記特許文献１に記載のように就寝者に快適な目覚めをもたらすために光源の照度が漸増制御される目覚まし照明装置であっても、スタンド型照明器具のように光源の位置が固定である場合には、就寝者は寝返り等の睡眠時動作によりベッド上を移動するので、就寝者の位置によって就寝者の頭部に適正な照度の照明が当たらない可能性がある。
【０００５】
就寝者の頭部に適正な照度の照明が当たらない場合には、光源側の照度が精密に制御されても就寝者には快適な目覚めがもたらされない。その上場合によっては、隣接したベッド上の異なった起床時刻を設定している別の就寝者が漸増制御される照明装置の影響を受けて安眠を妨害されてしまう可能性がある。
【０００６】
そこで、本発明は、就寝者の安眠を妨害することなく頭部の位置を検出し、就寝者がベッド上を移動していても起床希望時刻には目覚まし用の照明を正しく就寝者の頭部に照射して、就寝者に快適な目覚めをもたらすことができる頭位置検出装置及び目覚まし照明装置を提供することを目的とする。
【課題を解決するための手段】
【０００７】
上記目的を達成するために、請求項１の発明は、目覚まし用の照明をベッド上の就寝者に対して照射する目覚まし照明装置に用いられ、就寝者のベッド上における頭部の位置を検出する頭位置検出装置であって、就寝者の頭部の重量、温度等の物理量を検出するセンサと、前記センサが検出した物理量に基づいて就寝者の頭部の位置を判断する頭位置判断手段と、を備えたことを特徴とする。
【０００８】
請求項２の発明は、請求項１に記載の頭位置検出装置と、前記頭位置検出装置によって検出された就寝者の頭部の位置に応じて目覚まし用の照明の照射方向を変更する照射方向変更手段と、を備えたことを特徴とする目覚まし照明装置である。
【０００９】
請求項３の発明は、請求項２に記載の目覚まし照明装置において、前記ベッドのヘッドボードに複数の光源を内蔵し、前記照明方向変更手段は、前記複数の光源の点灯・非点灯を切替えることにより照射方向を変更することを特徴とする。
【発明の効果】
【００１０】
請求項１の発明によれば、就寝者の安眠を妨げることなく就寝者のベッド上における頭部の位置を検出することができる。
【００１１】
請求項２の発明によれば、目覚まし用の照明の照射方向が就寝者の頭部の位置に応じて変更されるので、就寝者がベッド上を移動しても就寝者の頭部に正しく照明が照射され、就寝者に快適な目覚めをもたらす。
【００１２】
請求項３の発明によれば、請求項２の効果に加えて、ベッド上に横たわる就寝者の上方の空間に光源が位置しないので、就寝者が光源の存在が気になって入眠が困難になるとか、寝返り等の睡眠時動作により就寝者の腕等の身体の一部が光源に接触して就寝者の安眠が妨げられるといった不具合が生じない。
【発明を実施するための最良の形態】
【００１３】
以下、本発明の一実施形態に係る目覚まし照明装置と頭位置検出装置について、図１乃至図３を参照して説明する。本実施形態の目覚まし照明装置１は、ベッド２とベッド２のヘッドボード３に一体的に組み付けられている。
【００１４】
ベッド２の上面のヘッドボード３側には、就寝者Ｐのベッド２上における頭部Ｐａの位置を検出するための重量検出センサとしての４枚のシート状圧電センサ４ａ、４ｂ、４ｃ、４ｄが貼り付けられている。ヘッドボード３の、ベッド２に横たわった状態の就寝者Ｐの頭部Ｐａより少し高い位置には、ベッド２の幅とほぼ同一の長さに延びる発光パネル５が設けられている。
【００１５】
シート状圧電センサ４ａ〜４ｄは、横たわった就寝者Ｐが凹凸や段差等の違和感を感じないように薄く柔らかい材質のものが採用される。例えば、窒化アルミニウムの薄膜を金属箔上に形成してシート状に構成したものや、ＥＭＦｉＴ社（フィンランド）製の、ポリプロピレンフィルムを特殊加工することで多孔性に構成し、これに高電圧を印加して電子をトラップさせたフィルム状圧電センサを用いることができる。各シート状圧電センサ４ａ〜４ｄは、その上にかかる重量に応じた電圧信号を生成し、後述の制御装置６へ送信する。
【００１６】
発光パネル５は、図２に示されるように、ヘッドボード３に形成された横長の凹所７の内部に配置され、後述する調光制御装置９によって調光制御される発光ダイオード８（光源）を備える。発光ダイオード８は、４つのブロック８ａ〜８ｄに分割されており、各ブロック８ａ〜８ｄごとに調光制御される。
【００１７】
調光制御装置９は、ヘッドボードの内部に埋設されたマイクロプロセッサ１１（照射方向変更手段）によって構成され、制御装置６から受信する頭部の位置情報に基づいて調光制御する発光ダイオード８ａ〜８ｄのブロックを切替える照射方向変更機能と、発光ダイオード８ａ〜８ｄの照度を所定のタイムスケジュールに基づいて漸増させる調光機能と、起床時刻を計る時計機能とを有している。
【００１８】
発光ダイオード８ａ〜８ｄの照度を所定のタイムスケジュールに基づいて漸増させる調光機能は、例えば、設定された起床希望時刻の３０分前にいずれかのブロックの発光ダイオード８ａ〜８ｄを低照度で発光させ、起床希望時刻の１０分前に到達するまでは徐々に照度を増加させ、起床希望時刻の１０分前からは急激に照度を増大させ、起床希望時刻には最大の照度とする制御である。
【００１９】
ベッド２の側方には、ベッド２に横たわった就寝者Ｐの手が届く範囲にマイクロプロセッサ１２（頭位置判断手段）を備える制御装置６が配置されている。制御装置６は、さらに就寝者Ｐが希望の起床時刻を入力するときに操作するキーやボタン等の入力キー群１３と、起床時刻設定モードのときには就寝者Ｐが入力キー群１３を操作して入力する時刻が表示され、起床時刻設定モードが解除されたときには現在時刻が表示される液晶パネル１４を備えている。
【００２０】
制御装置６のマイクロプロセッサ１２は、４つのシート状圧電センサ４ａ〜４ｄからの電圧信号を受信し、各電圧信号の大きさを比較することによって就寝者Ｐの頭部Ｐａの位置を判断する。例えば、いま、シート状圧電センサ４ｂからの電圧信号が他のシート状圧電センサ４ａ、４ｃ、４ｄよりも大きい場合には、就寝者Ｐの頭部Ｐａは、ベッド２上の中央より少し左側（図１及び図３参照）であると判断する。
【００２１】
制御装置６のマイクロプロセッサ１２は、調光制御装置９のマイクロプロセッサ１１に接続され、調光制御装置９のマイクロプロセッサ１１に対して、設定された起床希望時刻の情報と、就寝者の頭部の位置情報を送信する。シート状圧電センサ４ａ〜４ｄ、発光ダイオード８ａ〜８ｄ、調光制御装置９、及び制御装置６の接続態様が図３に示される。
【００２２】
次に、目覚まし照明装置１の動作について、就寝者Ｐがベッド２に入床した後入眠し、目覚まし照明装置１によって目覚めさせられる経過に沿って説明する。
【００２３】
就寝者Ｐは、就寝時に制御装置６の入力キー群１３を操作して希望する起床時刻を入力する。このとき入力される時刻が液晶パネル１４にディジタル値として表示されるので、就寝者Ｐは液晶パネル１４の時刻表示を見ながら操作を行い、決定ボタンを押すことによって起床希望時刻（例えば、午前７時３０分）を設定する。
【００２４】
起床希望時刻を設定した就寝者Ｐは、その後ベッド２に横たわって入眠するが、ベッド２に横たわった就寝者Ｐの上方の空間には照明器具（光源）が存在しないので、就寝者Ｐが照明器具の存在が気になって入眠が困難になるとか、寝返り等の睡眠時動作により就寝者Ｐの腕等の身体の一部が照明器具に接触して就寝者Ｐの安眠が妨げられるといった不具合が生じない。
【００２５】
設定された起床希望時刻の情報は、制御装置６のマイクロプロセッサ１２から調光制御装置９のマイクロプロセッサ１１へ送信され、マイクロプロセッサ１１は、受信した起床希望時刻の情報（午前７時３０分）に基づき、マイクロプロセッサ１１自体が有している時計機能による現在時刻と比較することによって起床希望時刻への接近を認識し、起床希望時刻に近づいたことを認識すると（例えば、午前７時）前述の通りのタイムスケジュールに基づいて調光制御を行う。
【００２６】
一方、制御装置６のマイクロプロセッサ１２は、設定された起床希望時刻が近づくと（例えば、午前７時）、その時点における各シート状圧電センサ４ａ〜４ｄから受信している電圧信号に基づいて就寝者Ｐの頭部Ｐａの位置を判断し、頭部の位置情報として調光制御装置９のマイクロプロセッサ１１へ送信する。マイクロプロセッサ１１は、受信した頭部の位置情報に基づいて調光制御する発光ダイオード８ａ〜８ｄのブロックを切替える。
【００２７】
例えば、就寝者Ｐの頭部Ｐａがベッド２上の中央より少し左側であるという頭部の位置情報がマイクロプロセッサ１１に送信された場合には、マイクロプロセッサ１１は、左から２つ目のブロックの発光ダイオード８ｂに対して前述の調光制御を行う。
【００２８】
従って、中央より少し左側に移動している就寝者Ｐの頭部Ｐａに対して適正な照度の光が照射され、就寝者Ｐは、漸増する光によって快適に目覚めさせられる。就寝者Ｐが他の位置に移動している場合も同様に移動している就寝者Ｐの頭部Ｐａに対して光が照射される。
【００２９】
移動した位置にある就寝者Ｐの頭部Ｐａに追従して光が照射されるので、就寝者Ｐは常に適正な光によって快適に目覚めさせられ、隣接したベッド上に異なった起床時刻を設定している別の就寝者がいる場合であっても別の就寝者が照明装置の影響を受けて安眠を妨害されることがない。
【００３０】
なお、本実施形態において、調光制御装置９のマイクロプロセッサ１１は、発光ダイオード８ａ〜８ｄの照度を所定のタイムスケジュールに基づいて漸増させる調光機能のみを有し、起床希望時刻への接近は、制御装置６のマイクロプロセッサ１２の有する時計機能によって検知される構成であってもよい。
【００３１】
また、シート状圧電センサ（重量検出センサ）４は、就寝者Ｐの頭部Ｐａの位置をより精密に検出できるようにするために、１枚当たりの面積が小さく５枚以上の多数枚がベッド２上に設けられてもよく、その場合には発光ダイオード８もシート状圧電センサ４の枚数に合わせて細かくブロック分けされる。発光ダイオード８に代えて蛍光灯、白熱灯、有機ＥＬ等の光源が用いられてもよい。
【００３２】
以下、他の実施形態について、図４乃至図６を参照して説明する。図４に示される第２の実施形態の目覚まし照明装置１では、ヘッドボード３に設けられた発光パネル５に代えて天井１５にベッド２の幅方向に離間した２個のダウンライト１６ａ、１６ｂが設けられ、調光制御装置９が壁１７に埋設されている。また、制御装置６に無線送信機（不図示）が付加され、調光制御装置９に無線受信機（不図示）が付加されて両制御装置６、９の間の起床希望時刻、頭部位置の情報の伝達が無線１８によって行われる。他の構成については第１の実施形態と同一である。
【００３３】
この実施形態の目覚まし照明装置１の場合には、制御装置６のマイクロプロセッサ１２は、シート状圧電センサ４ａ又は４ｂから大きな電圧信号を受信するとベッド２上の就寝者Ｐの頭部Ｐａが中央より左側に移動していると判断して、調光制御装置９へ頭部が左側にあるという位置情報を無線送信し、調光制御装置９は起床希望時刻が近づくと左側のダウンライト１６ａの照度を所定のタイムスケジュールに基づいて漸増制御する。
【００３４】
同様に、制御装置６のマイクロプロセッサ１２は、シート状圧電センサ４ｃ又は４ｄから大きな電圧信号を受信するとベッド２上の就寝者Ｐの頭部Ｐａが中央より右側に移動していると判断して、調光制御装置９へ頭部が右側にあるという位置情報を無線送信し、調光制御装置９は起床希望時刻が近づくと右側のダウンライト１６ｂの照度を所定のタイムスケジュールに基づいて漸増制御する。
【００３５】
図５に示される第３の実施形態の目覚まし照明装置１では、ヘッドボード３に設けられた横長の発光パネル５に代えてヘッドボード３のほぼ全面に小型の発光ダイオード３１（光源）が分散して配置されている。発光ダイオード３１は、ヘッドボード３の高さ方向に３列、幅方向に１０列のマトリクス状に配置され、区分されたブロック３１ａ、３１ｂ、３１ｃごとに調光制御装置９によって調光制御される。例えば、中央の４列の発光ダイオード３１と、その左右の３列の発光ダイオード３１がそれぞれブロックとされる。
【００３６】
また、シート状圧電センサ（重量検出センサ）４に代えてヘッドボード３の上部中央に就寝者Ｐの頭部Ｐａから放散される熱量を検知し頭部Ｐａの存在する方向を検出する赤外線センサ（温度検出センサ）３２が設けられている。
【００３７】
この実施形態の目覚まし照明装置１の場合には、制御装置６のマイクロプロセッサ１２が赤外線センサ３２から受信する方向検出信号に基づいて就寝者Ｐの頭部Ｐａの位置を判断し、頭部の位置情報を調光制御装置９へ送信する。調光制御装置９のマイクロプロセッサ１１は、受信した頭部の位置情報に基づいて調光制御する発光ダイオード３１のブロック３１ａ〜３１ｃを切替えて制御する。
【００３８】
例えば、赤外線センサ３２からの方向検出信号が、就寝者Ｐの頭部Ｐａが赤外線センサ３２に正対する方向に存在することを示す信号である場合には、制御装置６は、調光制御装置９に対して頭部が中央にあるという位置情報を送信し、調光制御装置９は、中央のブロック３１ｂの発光ダイオード３１を調光制御する。
【００３９】
赤外線センサ３２は、熱源の方向を検出するタイプの他に熱源の方向と共にセンサ３２からの距離を検出するタイプのセンサを用いることができ、そのような赤外線センサ３２をヘッドボード３の幅方向に沿って複数設けることによって、就寝者Ｐの頭部Ｐａの位置を高い精度で検出することができる。また、就寝者Ｐの頭部Ｐａの位置が高い精度で検出される場合には、多数列に設けられた小型の発光ダイオード３１のブロック区分をより細かく分けることができ、就寝者Ｐの頭部Ｐａに対してより正確に適正な照度の照明を照射することができる。
【００４０】
図６に示される第４の実施形態の目覚まし照明装置１では、ヘッドボード３に設けられた発光パネル５に代えてヘッドボード３の上部に立設されたスタンド４１に２本の管状ランプ４２ａ、４２ｂが支持されている。
【００４１】
また、シート状圧電センサ（重量検出センサ）４に代えてヘッドボード３の両側付近に就寝者Ｐの頭部Ｐａから発生される呼吸音（寝息等）を検知し頭部Ｐａの存在する位置を検出する２つの音センサ４３ａ、４３ｂが設けられている。
【００４２】
音センサ４３ａ、４３ｂは、それぞれ制御装置６のマイクロプロセッサ１２に接続され、マイクロプロセッサ１２に対して検出した音量信号を送信する。マイクロプロセッサ１２は、２つの音センサ４３ａ、４３ｂから受信した音量信号の大きさに基づいて就寝者Ｐの頭部Ｐａの位置を判断し、頭部の位置情報として調光制御装置９のマイクロプロセッサ１１へ送信する。
【００４３】
例えば、就寝者Ｐが図６に示されるように音センサ４３ａに近い位置に移動している場合には、左側の音センサ４３ａからの音量信号の方が右側の音センサ４３ｂからの音量信号よりも大きいので、マイクロプロセッサ１２は、就寝者Ｐの頭部Ｐａが中央より少し左側であると判断する。
【００４４】
就寝者Ｐの頭部Ｐａが中央より少し左側であるという頭部の位置情報を受信した調光制御装置９は、左側の管状ランプ４２ａに対して調光制御を行う。
【００４５】
音センサ４３ａ、４３ｂは、ヘッドボード３ではなくベッド２に埋設されてもよいし、枕（不図示）の両側に埋設されてもよい。
【００４６】
また、管状ランプ４３ａ、４３ｂが支持されたスタンド４１が図示しない回転駆動装置によって回転され、いずれか一方の管状ランプ４３ａ、４３ｂがベッド２上の中央へ回転移動できるように構成されてもよい。この場合には、例えば、就寝者Ｐの頭部Ｐａが中央にあるという頭部の位置情報を受信した調光制御装置９は、回転駆動装置を制御していずれかの管状ランプ４３ａ、４３ｂをベッド２上の中央へ移動させることによって照射方向を変更する。
【００４７】
さらに他の実施形態では、就寝者Ｐの頭部Ｐａの位置を検出するためのセンサが画像を撮像するカメラであり、制御装置６のマイクロプロセッサ１２がカメラから受信する画像を解析し画像中の就寝者の頭部部分を抽出して頭部の位置を判断する機能を有していてもよい。
【００４８】
次に、本発明の目覚まし照明装置１及び従来の目覚まし照明装置によってそれぞれ目覚めさせられる就寝者とその就寝者に隣接する別の就寝者の目覚め感を実験により確認した結果について図７及び図８を参照して説明する。
【００４９】
実験は、本発明の目覚まし照明装置１を用いる実験装置（図７（ａ）参照）と、固定スタンド型の照明器具Ｌを目覚まし用の照明として用いる実験装置（比較例１）（図７（ｂ）参照）と、天井に配置されたシーリングライトＳを目覚まし用の照明として用いる実験装置（比較例２）（図７（ｃ）参照）の３通りの装置で行われた。
【００５０】
いずれの実験装置も２台のベッドが隣接して配置され、図７（ａ）乃至図７（ｃ）における左側のベッドの就寝者（以下、就寝者ＰＡという）の起床時刻Ｔａよりも右側のベッドの就寝者（以下、就寝者ＰＢという）の起床時刻Ｔｂの方が遅いものとし、就寝者ＰＡの起床時刻Ｔａに合わせて目覚まし照明装置が作動するものとする。
【００５１】
以上の条件のもとで実験を行い、各実験装置において就寝者ＰＡの頭部Ｐａがベッドの中央にある場合と、就寝者ＰＡの頭部Ｐａがベッドの中央からずれた位置にある場合の２通りの場合について、就寝者ＰＡの起床時刻Ｔａにおける就寝者ＰＡの頭部Ｐａにおける照度（測定項目１）と、就寝者ＰＡの起床時刻Ｔａにおける就寝者ＰＢの頭部Ｐｂにおける照度（測定項目２）を測定し、就寝者ＰＡの起床時刻Ｔａにおける目覚め感（評価項目１）と、就寝者ＰＢの起床時刻Ｔｂにおける目覚め感（評価項目２）を評価した。
【００５２】
以下、測定結果と評価結果について、図８を参照して説明する。就寝者ＰＡの目覚め感と就寝者ＰＢの目覚め感は、各就寝者自身による主観評価である。
【００５３】
本発明の目覚まし照明装置１を用いる実験装置（図７（ａ）参照）において、就寝者ＰＡの頭部Ｐａがベッド２の中央にある場合に、就寝者ＰＡの起床時刻Ｔａにおける就寝者ＰＡの頭部における照度（測定項目１）は、４００ルクスであり、就寝者ＰＡの起床時刻Ｔａにおける就寝者ＰＢの頭部における照度（測定項目２）は、１０ルクスであり、就寝者ＰＡの目覚め感は非常に良く、就寝者ＰＢの目覚め感も良好であった。
【００５４】
また、同様に本発明の目覚まし照明装置１を用いる実験装置（図７（ａ）参照）において、就寝者ＰＡの頭部Ｐａがベッド２の中央からずれている場合にも、就寝者ＰＡの起床時刻Ｔａにおける就寝者ＰＡの頭部における照度（測定項目１）は、３００ルクスであり、就寝者ＰＡの起床時刻Ｔａにおける就寝者ＰＢの頭部における照度（測定項目２）は、１０ルクスであり、就寝者ＰＡの目覚め感は非常に良く、就寝者ＰＢの目覚め感も良好であった。
【００５５】
この結果から、本発明の目覚まし照明装置１を用いる場合には、就寝者ＰＡは、頭部Ｐａの位置がずれていても頭部Ｐａに対して高い照度の照明（３００〜４００ルクス）が照射されて非常に良好な目覚め感が得られ、隣接の就寝者ＰＢは、就寝者ＰＢ自身の起床時刻Ｔｂよりも早い時刻に高い照度の照明を照射されないので、安眠を妨害されず良好な目覚め感を得られることが分かる。
【００５６】
比較例１の実験装置（図７（ｂ）参照）を用いた実験において、就寝者ＰＡの頭部Ｐａがベッド２の中央にある場合に、測定項目１の測定結果は４００ルクスであり、測定項目２の測定結果は１０ルクスであり、就寝者ＰＡの目覚め感は非常に良く、就寝者ＰＢの目覚め感も良好であった。
【００５７】
同様に比較例１の実験装置を用いた実験において、就寝者ＰＡの頭部Ｐａがベッド２の中央からずれている場合に、測定項目１の測定結果は７０ルクスであり、測定項目２の測定結果は１０ルクスであり、就寝者ＰＡの目覚め感は悪く、就寝者ＰＢの目覚め感は比較的良好であった。
【００５８】
この結果から、固定スタンド型の照明器具Ｌを用いる場合は、就寝者ＰＡの頭部Ｐａがずれた場合には、頭部Ｐａに不十分な照度しか照射されないために就寝者ＰＡは良好な目覚め感を得られないことが分かる。
【００５９】
比較例２の実験装置（図７（ｃ）参照）を用いた実験において、就寝者ＰＡの頭部Ｐａがベッド２の中央にある場合に、測定項目１の測定結果は３００ルクスであり、測定項目２の測定結果は３００ルクスであり、就寝者ＰＡの目覚め感は非常に良かったが、就寝者ＰＢの目覚め感は悪かった。
【００６０】
同様に比較例２の実験装置を用いた実験において、就寝者ＰＡの頭部Ｐａがベッド２の中央からずれている場合に、測定項目１の測定結果は１５０ルクスであり、測定項目２の測定結果は３００ルクスであり、就寝者ＰＡの目覚め感は非常に良かったが、就寝者ＰＢの目覚め感は悪かった。
【００６１】
この結果から、シーリングライトＳを用いる場合は、就寝者ＰＡの頭部Ｐａがずれた場合にも、頭部Ｐａに最低限の照度が照射されるために就寝者ＰＡは良好な目覚め感を得られるが、就寝者ＰＢは、就寝者ＰＢ自身の起床時刻Ｔｂよりも早い時刻に高い照度の照明（３００ルクス）を照射されるので起床時間前の安眠を妨害され、就寝者ＰＢ自身の起床時刻Ｔｂには良好な目覚め感を得られないことが分かる。
【図面の簡単な説明】
【００６２】
【図１】本発明の第１の実施形態に係る目覚まし照明装置の全体斜視図。
【図２】同目覚まし照明装置におけるヘッドボードに取付けられた発光パネルの斜視図。
【図３】同目覚まし照明装置における電気的構成を示すブロック図。
【図４】同第２の実施形態に係る目覚まし照明装置の全体斜視図。
【図５】同第３の実施形態に係る目覚まし照明装置の要部の斜視図。
【図６】同第４の実施形態に係る目覚まし照明装置の要部の斜視図。
【図７】（ａ）は本発明の目覚まし照明装置を用いる実験における就寝者の頭部が中央にある状態（上段）と中央からずれた状態（下段）を示す説明図、（ｂ）は固定スタンド型の照明器具を用いる実験における就寝者の頭部が中央にある状態（上段）と中央からずれた状態（下段）を示す説明図、（ｃ）はシーリングライトを用いる実験における就寝者の頭部が中央にある状態（上段）と中央からずれた状態（下段）を示す説明図。
【図８】本発明の目覚まし照明装置を用いる実験装置（実施例）と固定スタンド型の照明器具を用いる実験装置（比較例１）とシーリングライトを用いる実験装置（比較例２）において隣接する２人の就寝者に起床実験を施した結果を示す図。
【符号の説明】
【００６３】
１  目覚まし照明装置
２  ベッド
３  ヘッドボード
４、４ａ、４ｂ、４ｃ、４ｄ  シート状圧電センサ（物理量を検出するセンサ）
８、８ａ、８ｂ、８ｃ、８ｄ  発光ダイオード（光源）
１１  マイクロプロセッサ（照射方向変更手段）
１２  マイクロプロセッサ（頭位置判断手段）
１６ａ、１６ｂ  ダウンライト（目覚まし用の照明）
３１  発光ダイオード（光源）
３２  赤外線センサ（物理量を検出するセンサ）
４２ａ、４２ｂ  管状ランプ（目覚まし用の照明）
４３ａ、４３ｂ  音センサ（物理量を検出するセンサ）
Ｐ  就寝者
Ｐａ  頭部
【図１】
2008107258.tif 000003
【図２】
2008107258.tif 000004
【図３】
2008107258.tif 000005
【図４】
2008107258.tif 000006
【図５】
2008107258.tif 000007
【図６】
2008107258.tif 000008
【図７】
2008107258.tif 000009
【図８】
2008107258.tif 000010